(57)【要約】      （修正有）【課題】梱包の処理時間が短く、均一に押して圧縮する布団等の圧縮方法及び圧縮梱包装置を提供する。【解決手段】力学的圧縮方法として第一に複数のシリンダー装置４から上ごて１または下ごて２は支持されながら力を受けて布団等を押す、第二に上ごてまたは下ごての上下動の際にガイド手段で上ごてまたは下ごてが大きく傾かない状態にされて布団等を押す、第三に上ごてまたは下ごての上下動の際に水平維持リンク機構で上ごてまたは下ごてが大きく傾かない状態にされて布団等を押す、以上の第一ないし第三のいずれかの圧縮方法により樹脂フィルム袋に入れた布団等を圧縮し、その状態で該フィルム袋の開口部を自動または手動でシールしてフィルム袋を密閉する。【選択図】図７
2019048664.tif 000002
【特許請求の範囲】
【請求項１】
上下動する（片方がまたは両者が上下動する）上ごてと下ごてで布団等を圧縮する力学的圧縮方法であり、該圧縮方法とは複数のシリンダー装置から上ごてまたは下ごては操作に障害となる前端及び前端左右以外の部分を支持されながら力を受けて布団等を押す、以上の圧縮方法により樹脂フィルム袋に入れた布団等を均一に押して圧縮する布団等の圧縮方法
【請求項２】
上下動する（片方がまたは両者が上下動する）上ごてと下ごてで布団等を圧縮する力学的圧縮方法であり、該圧縮方法とは上ごてまたは下ごての上下動の際にガイド手段で上ごてまたは下ごてが大きく傾かない状態にされて布団等を押す、以上の圧縮方法により樹脂フィルム袋に入れた布団等を均一に押して圧縮する布団等の圧縮方法
【請求項３】
上下動する（片方がまたは両者が上下動する）上ごてと下ごてで布団等を圧縮する力学的圧縮方法であり、該圧縮方法とは上ごてまたは下ごての上下動の際に水平維持リンク機構で上ごてまたは下ごてが大きく傾かない状態にされて布団等を押す、以上の圧縮方法により樹脂フィルム袋に入れた布団等を均一に押して圧縮する布団等の圧縮方法
【請求項４】
上下動する（片方がまたは両者が上下動する）上ごてと下ごてで布団等を圧縮する力学的圧縮手段を有し、ここで該圧縮手段とは複数のシリンダー装置から上ごてまたは下ごては操作に障害となる前端及び前端左右以外の部分を支持されながら力を受けて布団等を押す圧縮手段である、以上の圧縮手段により樹脂フィルム袋に入れた布団等を圧縮し、その状態で該フィルム袋の開口部を自動または手動でシールして前記フィルム袋を密閉する布団等を均一に押して圧縮する布団等の圧縮梱包装置
【請求項５】
上下動する（片方がまたは両者が上下動する）上ごてと下ごてで布団等を圧縮する力学的圧縮手段を有し、ここで該圧縮手段とは上ごてまたは下ごての上下動の際にガイド手段で上ごてまたは下ごてが大きく傾かない状態にされて布団等を押す圧縮手段である、以上の圧縮手段により樹脂フィルム袋に入れた布団等を圧縮し、その状態で該フィルム袋の開口部を自動または手動でシールして前記フィルム袋を密閉する布団等を均一に押して圧縮する布団等の圧縮梱包装置
【請求項６】
上下動する（片方がまたは両者が上下動する）上ごてと下ごてで布団等を圧縮する力学的圧縮手段を有し、ここで該圧縮手段とは上ごてまたは下ごての上下動の際に水平維持リンク機構で上ごてまたは下ごてが大きく傾かない状態にされて布団等を押す圧縮手段である、以上の圧縮手段により樹脂フィルム袋に入れた布団等を圧縮し、その状態で該フィルム袋の開口部を自動または手動でシールして前記フィルム袋を密閉する布団等を均一に押して圧縮する布団等の圧縮梱包装置
【発明の詳細な説明】
【技術分野】
【０００１】本発明は布団等を圧縮し樹脂フィルム袋に梱包する布団等を均一に押して圧縮する布団等の圧縮方法及び圧縮梱包装置に関するものである。
【背景技術】
【０００２】従来において布団等を樹脂フィルム袋に入れて吸引装置で袋内部の空気を吸引して減圧し、布団等を圧縮状態にして梱包する減圧式の布団等の圧縮梱包装置は公知であるが、それらは減圧に時間がかかり、ひとつの梱包に例えば３分程度かかっていた。
さらに従来の減圧式の布団等の圧縮梱包装置は減圧機能が必要なためどうしても装置が複雑になり、しかも高価になっていた。
【発明が解決しようとする課題】
【０００３】本発明は以上の従来の課題を解決し、梱包の処理時間が短く、しかも上下動する（片方がまたは両者が上下動する）上ごてと下ごてで布団等を圧縮する構成を用い、該上ごてまたは下ごてで布団等を均一に押して圧縮する布団等の圧縮方法及び圧縮梱包装置の提供を目的とする。
【課題を解決するための手段】
【０００４】本発明は以上の目的達成のために、上下動する（片方がまたは両者が上下動する）上ごてと下ごてで布団等を圧縮する力学的圧縮方法を有し、ここで該力学的圧縮方法として第一に複数のシリンダー装置から上ごてまたは下ごては支持されながら力を受けて布団等を押す、第二に上ごてまたは下ごての上下動の際にガイド手段で上ごてまたは下ごてが大きく傾かない状態にされて布団等を押す、第三に上ごてまたは下ごての上下動の際に水平維持リンク機構で上ごてまたは下ごてが大きく傾かない状態にされて布団等を押す、以上の第一ないし第三のいずれかの圧縮方法により樹脂フィルム袋に入れた布団等を圧縮し、その状態で該フィルム袋の開口部を自動または手動でシールして前記フィルム袋を密閉する布団等を均一に押して圧縮する布団等の圧縮方法及び圧縮梱包装置を提案するものである。
【発明を実施するための最良の形態】
【０００５】以下本発明の布団等の圧縮方法及び圧縮梱包装置を図面に示す実施例に従い説明する。
ここで予め本発明の理解を容易にするため、本発明の要件である“力学的圧縮方法”は次の３つの種類に分類され、本発明は全てを包含する：
第一の“力学的圧縮方法”
複数のシリンダー装置から上ごてまたは下ごては操作に障害となる前端及び前端左右以外の部分を支持されながら力を受けて布団等を押す“力学的圧縮方法”を用いる発明
図１ないし図５の実施例、図６の実施例、図７の実施例
第二の“力学的圧縮方法”
上ごてまたは下ごての上下動の際にガイド手段で上ごてまたは下ごてが大きく傾かない状態にされて布団等を押す“力学的圧縮方法”を用いる発明
図８ａないし図８ｂの実施例、図１６ないし図１７の実施例
第三の“力学的圧縮方法”
上ごてまたは下ごての上下動の際に水平維持リンク機構で上ごてまた下ごてが大きく傾かない状態にされて布団等を押す“力学的圧縮方法”を用いる発明
図９ないし図１０の実施例、図１１の実施例、図１２の実施例【０００６】以上の通り本発明には３つの種類があるが、それらは統一した目的のためである。
すなわち統一した目的とは、上下動する上ごてまたは下ごてで布団等を均一に押して圧縮する、すなわち“均一に押す”という目的のことである。
本発明は統一した目的達成のための３つの種類があり、各々の実施例はその種類に対応しているが、以下は図面の順番に従って各々の実施例を説明する。【０００７】図１及び図２は本発明の布団等の圧縮梱包装置を示し、該布団等の圧縮梱包装置は装置本体（９）の上部において金属板等で作られた下ごて（２）を有する。
該下ごて（２）の後端には軸（３）において回動する上ごて（１）が軸支して設けられる。
該上ごて（１）は金属板等で作られ、装置正面（図２の左側）に樹脂フィルム袋（５）（図１３参照）及び圧縮梱包されるべき布団等（９９）（図１５参照）を挿入可能なスペースＳが設けられる。
上ごて（１）は装置本体（９）に設けられたシリンダー装置（４）により回動可能にされる。【０００８】該シリンダー装置（４）は、図２に示す様に、例えばエアー駆動のものを用いることが可能であり、その場合はシリンダー（４ａ）とピストン（４ｃ）を有し、シリンダー（４ａ）は軸（４ｂ）で装置本体（９）に取り付けられ、他方ピストン（４ｃ）は軸（４ｄ）で上ごて（１）に取り付けられる。
また軸（４ｂ）は圧縮時（上ごて（１）の下降リミット時）における上ごて（１）と下ごて（２）の隙間寸法を調整可能にするため、シリンダー（４ａ）の軸位置調整板（８）を介して装置本体（９）に固定される。
すなわち軸位置調整板（８）は長孔（８ａ）において装置本体（９）にボルト等で固定されることになる。【０００９】また軸（３）はシリンダー装置（７）のピストン（７ｃ）に取り付けられ、該ピストン（７ｃ）を上昇位置に保つばね（７ｄ）により軸（３）と上ごて（１）の後端は圧縮の最終時（最終時は図５に示す）より上昇した位置に保たれている。
なおシリンダー装置（７）のシリンダー（７ａ）は本体固定具（９１）（９２）により本体（９）に固定されている。【００１０】以上の図１及び図２の実施例に示した本発明の布団等の圧縮梱包装置の使用方法または使用時の装置の作用を次に説明する。
すなわち図１及び図２の状態は本発明の布団等の圧縮梱包装置の待機状態であり、この状態で使用者は例えば図１３に示す樹脂フィルム袋（５）に布団等（９９）を入れてスペースＳから下ごて（２）上に挿入する（図２に挿入された状態が示される）。
ここで樹脂フィルム袋（５）はあくまでも一例であるが図１３のものが示されるので、図１３の樹脂フィルム袋（５）の詳細を次に説明する。【００１１】すなわち樹脂フィルム袋（５）は袋部（５ａ）とシール部（５ｂ）を有して、一対のフィルム（５２）（５３）で構成され、その四角い形状の４辺の１辺だけが開かれており（図１３の左側）、他の３辺は袋部（５ａ）であり、該袋部（５ａ）は一体シール部（５１）において一対のフィルム（５２）（５３）が一体化されたものである（密封されている）。
図１３のＡ−Ａ断面である図１４に、開かれた１辺を自動または手動でシールして樹脂フィルム袋（５）を密閉するための構造の一例が示される。【００１２】すなわち図示のものはシール部（５ｂ）を有し、これは一対のフィルム（５２）（５３）の内面にレール状雄突起ｅとレール状雌突起ｆとが対向して設けられ、それらは相互に押し付けられることにより雄雌結合し、その結果樹脂フィルム袋（５）の内部空間を外部空間から（空気の出入りについて）遮断することになる。
再び前述の使用方法の説明の続きに戻ることにするが、樹脂フィルム袋（５）に布団等を入れてスペースＳから下ごて（２）上に挿入した後で、使用者はシリンダー装置（４）を駆動する、例えばエアーシリンダーならば高圧エアーをシリンダー室の一方に供給し、ピストン（４ｃ）を図２の下方に動かす。【００１３】これにより上ごて（１）は下降していき、樹脂フィルム袋（５）とそこに入れられた布団等（９９）は上ごてと下ごての間で圧縮されていく。
ピストン（４ｃ）が縮んでいき布団等（９９）が入れられた樹脂フィルム袋（５）に接触した状態である図３においては、布団等（９９）は上ごて（１）から前後左右方向に押されることはない。
何故なら接触開始しこれから圧縮しようとする図３の状態で、上ごて（１）は傾斜しているがその傾斜は緩いため上ごて（１）から布団等（９９）に作用する力は前後左右方向の分力を有していても、その分力は小さいので布団等（９９）は前記上ごて（１）と下ごて（２）の間から操作者が放置しても外れない。【００１４】従って布団等（９９）は図３から図４へと上ごて（１）と下ごて（２）の間で圧縮されていき、上ごて（１）の前部は圧縮終了位置に至る（図４の位置）。
次に他のシリンダー装置（７）において高圧エアーがシリンダー室の一方に供給される（制御手段により自動的に供給される）、その結果ピストン（７ｃ）が下降していき、そこに取り付けられた軸（３）を下降させる。
その結果図５に示す様に上ごて（１）の後部も下降するから上ごて（１）と下ごて（２）の間において、図１５に示す様に樹脂フィルム袋（５）とそこに入れられた布団等（９９）は圧縮された状態になる。【００１５】図１ないし図５の実施例に用いられた圧縮するための力学的圧縮方法とは、複数（４つ）のシリンダー装置（４）（４）（７）（７）から上ごて（１）は操作に障害となる前端及び前端左右以外の部分を支持されながら力を受けて布団等を押す“力学的圧縮方法”であったが、この方法では上ごて（１）はピストン（４ｃ）（４ｃ）（７ｃ）（７ｃ）で４ケ所支持されて圧縮時に（非圧縮時の開いた傾斜ではなく、圧縮時の閉じた状態で）大きく傾かないことになるから、布団等（９９）は均一に押されて圧縮される。
次に使用者は図１３及び図１４に示した樹脂フィルム袋（５）であれば、その開口部においてレール状雄突起ｅとレール状雌突起ｆを相互に押し付けて一対のフィルム（５２）（５３）を雄雌結合し樹脂フィルム袋（５）を密封して作業を完了する。
樹脂フィルム袋（５）の密封方法は図１３乃至１５に示した方法に限らない、すなわち例えばレール状雄突起ｅとレール状雌突起ｆの雄雌結合を用いずに単に一対のフィルム（５２）（５３）の開口部を上下に挟んで熱溶着（熱溶着に適する材質を選択）する方法（種々公知である）でもよい。【００１６】図６は本発明の他の布団等の圧縮梱包装置であり（実線が圧縮作動状態で破線が圧縮前状態である）、該布団等の圧縮梱包装置は例えば後端（図６の右方）のコーナー部左右に設けられた２つのシリンダー装置（４）と中央部左右に設けられた２つのシリンダー装置（４）の合計４つのシリンダー装置（４）を有する。
それらの４つのシリンダー装置（４）で上ごて（１）を平行上下動させて（破線の位置から実線の位置へと動かして、すなわち下降させて）、上ごて（１）と下ごて（２）の間に挿入された樹脂フィルム袋（５）とそこに入れられた布団等（９９）を圧縮するものである。
４つの（図６は右側面図で重なって見えないから２つしか示されないが、トータルで４つの）シリンダー装置（４）の各シリンダー（４ａ）は本体（９）に、他方各ピストン（４ｃ）の上端には上ごて（１）が固定されることになる。【００１７】樹脂フィルム袋（５）とそこに入れられた布団等（９９）の圧縮工程の作動は上ごて（１）が（下ごて（２）に対して）平行上下動する（回動でなく）点が図１乃至図５の実施例と相違する。
すなわち上ごて（１）が破線の位置から実線の位置へと（下ごて（２）に対して）平行上下動して圧縮する。
図６の実施例に用いられた圧縮するための力学的圧縮方法とは、複数（４つ）のシリンダー装置（４）から上ごて（１）は操作に障害となる前端及び前端左右以外の部分を支持されながら力を受けて布団等を押す“力学的圧縮方法”であったが、この方法では上ごて（１）はピストン（４ｃ）（４ｃ）（４ｃ）（４ｃ）で４ケ所支持されて大きく傾かないことになるから、布団等（９９）は均一に押されて圧縮されるのである。【００１８】図７は本発明の他の布団等の圧縮梱包装置であり（実線が圧縮前状態で破線が圧縮作動状態である）、該布団等の圧縮梱包装置は図６と同様に例えば４つのシリンダー装置（４）を有する。
それらの４つのシリンダー装置（４）は図６と異なり下ごて（２）を平行上下動させて（実線の位置から破線の位置へと動かして、すなわち上昇させて）、上ごて（１）と下ごて（２）の間に挿入された樹脂フィルム袋（５）とそこに入れられた布団等（９９）を狭くなったスペースＳにおいて圧縮するものである。
４つの（図７は右側面図で重なって見えないから２つしか示されないが、トータルで４つの）シリンダー装置（４）の各シリンダー（４ａ）は本体（９）に固定される。
他方各ピストン（４ｃ）の上端にはヘッド（４ｅ）が固定され、該ヘッド（４ｅ）は下ごて（２）の底面に固定された当たり板（２ｅ）（接触を滑らかにするための板）を介して下ごて（２）を押し上げるのである。
樹脂フィルム袋（５）とそこに入れられた布団等（９９）の圧縮工程の作動は下ごて（２）が（上ごて（１）に対して）平行上下動して図６の実施例と同様に布団等（９９）を圧縮する。【００１９】図７の実施例に用いられた圧縮するための力学的圧縮方法とは、複数（４つ）のシリンダー装置（４）から下ごて（２）は操作に障害となる前端及び前端左右以外の部分を支持されながら力を受けて布団等を押す“力学的圧縮方法”であったが、この方法では下ごて（２）はピストン（４ｃ）（４ｃ）（４ｃ）（４ｃ）で４ケ所支持されて大きく傾かないことになるから、布団等（９９）は均一に押されて圧縮されるのである。
次に図７の下ごて（２）について前後左右方向に下ごて（２）が動いて外れてしまうことを防止する必要がある場合の防止方法について次に説明する。
すなわち図示していないが、当たり板（２ｅ）を蓋状の形状ないし下面に凹所を有する形状にして、該当たり板（２ｅ）がヘッド（４ｅ）を包む（またはヘッド（４ｅ）に被さる）状態の結合にすれば前後左右に下ごて（２）が動いて外れてしまうことを防止できる。
図７の布団等の圧縮梱包装置の力学的圧縮方法は、複数（４つ）のシリンダー装置（４）（４）（４）（４）から下ごて（２）は支持されながら力を受けて布団等を押す“力学的圧縮方法”であると説明したが、図７の下ごて（２）について、その上下動の際にガイド手段で該下ごて（２）が大きく傾かない状態にして布団等を押す“力学的圧縮方法”と併用する（前述の第一の圧縮方法と第二の圧縮方法という２種類の圧縮方法を併用する）ことが可能であるが、これを図８ａ及び図８ｂ（図８ａのＹ−Ｙ断面図）に示す。【００２０】すなわち下ごて（２）の四角形の４つのコーナーの各々の下面に車輪支持体（６ａ）（図８ｂ参照）を固定し、該車輪支持体（６ａ）に１ケまたは複数（図示の実施例では２ケ）の溝付きの車輪（６）を取り付ける。
該車輪（６）の溝は装置本体（９）の四角柱の本体柱（９ａ）に係合し下ごて（２）の上下動の際にガイド手段（すなわち溝付きの車輪（６）と本体柱（９ａ）の係合で構成されるガイド手段）で該下ごて（２）が大きく傾かない状態にして布団等を押す“力学的圧縮方法”にするのである。
すなわち４つの本体柱（９ａ）に囲まれるから、下ごて（２）は上下動の際に大きく傾かない状態になるのである。
要するに図８ａ及び図８ｂの布団等の圧縮梱包装置の実施例では、下ごて（２）は上下動の際に４つの本体柱（９ａ）に囲まれそれで上下動がガイドされるから大きく傾かない状態になる。
図８ａ及び図８ｂの方法は前述の第二の圧縮方法であるから図８ａ及び図８ｂの方法を用いれば、逆に前述の第一の圧縮方法を用いない（すなわち第一の圧縮方法と併用せずに第二の圧縮方法のみにする）ことも可能である。
「前述の第一の圧縮方法を用いない」とは、例えば、図７の実施例に図８ａ及び図８ｂの方法を適用するについて図７に図示された４つのシリンダー装置（４）（４）（４）（４）（４つであれば下ごて（２）は支持されながら力を受けて布団等を押すことが可能になる）ではなく、下ごて（２）の中央ライン上の前後に２つだけ、下ごて（２）の中央ライン上の左右に２つだけ、または中心部に１つだけのシリンダー装置（４）にするということである。【００２１】図９及び図１０は本発明の他の布団等の圧縮梱包装置であり、該布団等の圧縮梱包装置の下ごて（２）には水平維持リンク機構が用いられ、該下ごて（２）の上下動の際に水平維持リンク機構で下ごて（２）が大きく傾かない状態にされて布団等を押す“力学的圧縮方法”になっている。
すなわち水平維持リンク機構とは複数のリンク部材（１１）がその一部に平行四辺形または図示の様に菱形を形成する部分を有し、該平行四辺形または菱形のコーナー点は全てピン（１３）で接続されている。
そして水平維持リンク機構の上端にはほぼ水平に位置決めされた下ごて（２）が２ケ所で支持され、その２ケ所の支持とは一方はピン（１３）で他方は車輪（１２）である。【００２２】また水平維持リンク機構の下端は２ケ所で装置本体（９）に支持され、その２ケ所の支持とは一方はピン（１３）で他方は車輪（１２）であり、それらの下端の２ケ所を結ぶ線はほぼ水平になる様に位置決めされている。
さらに水平維持リンク機構はシリンダー装置（４０）で前記平行四辺形または菱形のコーナー角度が変化する様に変形可能にされる。
すなわちシリンダー装置（４０）はシリンダー（４１）とピストン（４２）を有し、該ピストン（４２）は水平維持リンク機構の適所に取り付けられその伸縮動で前記平行四辺形または菱形のコーナー角度が変化する様に変形させることになる。【００２３】例えば図９の状態はピストン（４２）が縮んだ状態であるが、該ピストン（４２）が伸びると図１０に示す様に平行四辺形または菱形のコーナー角度が変化し、水平維持リンク機構の上端に支持された下ごて（２）は（それを支持するピン（１３）と車輪（１２）の距離が短くなりながら）ピン（１３）と車輪（１２）により押し上げられることになる。
水平維持リンク機構の下端の２ケ所を結ぶ線は前述の通り、ほぼ水平に位置決めされているため下ごて（２）も初期位置のほぼ水平を保ちながらほぼ水平に上昇するのである。
図９及び図１０の布団等の圧縮梱包装置の実施例は下ごて（２）の上下動の際に水平維持リンク機構で下ごて（２）が大きく傾かない状態にされて布団等を押す“力学的圧縮方法”を用いているのであり、これによって下ごて（２）は大きく傾かないから布団等（９９）は均一に押されて圧縮されるのである。【００２４】図１１は本発明の他の布団等の圧縮梱包装置であり、該布団等の圧縮梱包装置は下ごて（２）が図９及び図１０に示した水平維持リンク機構により支持されているが、図９及び図１０の平行維持リンク機構が２段であったのが図１１のものは１段である。
さらに図１乃至図５に示したと同様なシリンダー装置（４）により上ごて（１）が上下動するようになっている。
この様に上ごて（１）を上下動させるのは水平維持リンク機構が１段で上下動の“動きしろ”が少ないため、開いていた上ごて（１）を水平位置（図の一点鎖線）まで下降させ、その状態の上ごて（１）に水平維持リンク機構で下ごて（２）を上昇させて布団等（９９）を上ごて（１）と下ごて（２）の間で圧縮するのである。【００２５】図１２は本発明の他の布団等の圧縮梱包装置であり、該布団等の圧縮梱包装置は上ごて（１）がその上方において装置本体（９）から吊り下げられる様に設けられた（図９ないし図１１と同様な）水平維持リンク機構により懸垂支持されている。
従って図１２の布団等の圧縮梱包装置は、図９ないし図１１の布団等の圧縮梱包装置が下ごて（２）を上昇させて圧縮していたが、それと異なり上ごて（１）を下降させて圧縮するものである。【００２６】図１６及び図１７は本発明の他の布団等の圧縮梱包装置であり、該布団等の圧縮梱包装置は装置本体（９）の後方に上下方向に設けられたにレール（２ｃ）を有する。
該レール（２ｃ）には間隔をおいて２つの車輪（２ｂ）が前後方向に拘束された状態で上下に走行可能に設けられる。
該車輪（２ｂ）は、上ごて（１）に固定された側板（２ａ）に取り付けられて、上ごて（１）をレール（２ｃ）に沿って（下ごて（２）に対して）平行上下動させるためのものである（破線が圧縮前状態であり実線が圧縮作動状態）。
すなわち使用者はシリンダー装置（４）を駆動する、例えばエアーシリンダーならば高圧エアーをシリンダー室の一方に供給し、ピストン（４ｃ）を図１６の下方に動かす。【００２７】これにより上ごて（１）はレール（２ｃ）と２つの車輪（２ｂ）で拘束されているから、該レール（２ｃ）に沿って（下ごて（２）に対して）平行上下動して下降していき、樹脂フィルム袋（５）とそこに入れられた布団等（９９）は上ごて（１）と下ごて（２）の間で圧縮されていく。
以上を要するに、図１６及び図１７の実施例は下ごて（２）の上下動の際にレール（２ｃ）と２つの車輪（２ｂ）からなる拘束で形成されるガイド手段によって、該上ごて（１）が大きく傾かない状態になって布団等を押す“力学的圧縮方法”である。
【発明の効果】
【００２８】以上の実施例に示した本発明の効果を次に示す。
（１）本発明の布団等を均一に押して圧縮する布団等の圧縮方法及び圧縮梱包装置は、上下動する（片方がまたは両者が上下動する）上ごてと下ごてで布団等を圧縮する力学的圧縮方法を有し、ここで該力学的圧縮方法として第一に複数のシリンダー装置から上ごてまたは下ごては支持されながら力を受けて布団等を押す、第二に上ごてまたは下ごての上下動の際にガイド手段で上ごてまたは下ごてが大きく傾かない状態にされて布団等を押す、第三に上ごてまたは下ごての上下動の際に水平維持リンク機構で上ごてまたは下ごてが大きく傾かない状態にされて布団等を押す、以上の第一ないし第三のいずれかの圧縮方法により樹脂フィルム袋に入れた布団等を圧縮するため、減圧を用いる必要がなく、その結果圧縮梱包の処理時間が短い（早く圧縮梱包できる）。
（２）本発明の布団等を均一に押して圧縮する布団等の圧縮方法及び圧縮梱包装置は、上下動する（片方がまたは両者が上下動する）上ごてと下ごてで布団等を圧縮する力学的圧縮方法を有し、ここで該力学的圧縮方法として第一に複数のシリンダー装置から上ごてまたは下ごては支持されながら力を受けて布団等を押す、第二に上ごてまたは下ごての上下動の際にガイド手段で上ごてまたは下ごてが大きく傾かない状態にされて布団等を押す、第三に上ごてまたは下ごての上下動の際に水平維持リンク機構で上ごてまたは下ごてが大きく傾かない状態にされて布団等を押す、以上の第一ないし第三のいずれかの圧縮方法により樹脂フィルム袋に入れた布団等を圧縮するため、減圧を用いる必要がなく、その結果装置が単純になる。
【図面の簡単な説明】
【００２９】
【図１】本発明の布団等の圧縮梱包装置の上ごてが開いた状態の正面図
【図２】本発明の布団等の圧縮梱包装置の上ごてが開いた状態の右側面図
【図３】本発明の布団等の圧縮梱包装置の上ごてが閉じる途中の状態の右側面図
【図４】本発明の布団等の圧縮梱包装置の上ごてが閉じる途中の状態の右側面図
【図５】本発明の布団等の圧縮梱包装置の上ごてが閉じた状態の右側面図
【図６】本発明の他の布団等の圧縮梱包装置の右側面図
【図７】本発明の他の布団等の圧縮梱包装置の右側面図
【図８ａ】図７の下ごてをガイドする車輪と本体柱を設けた場合の下ごて部分の平面図
【図８ｂ】図８ａのＹ−Ｙ断面図
【図９】本発明の他の布団等の圧縮梱包装置の右側面図
【図１０】図９のシリンダー装置により下ごてが上昇した状態の右側面図
【図１１】本発明の他の布団等の圧縮梱包装置の右側面図
【図１２】本発明の他の布団等の圧縮梱包装置の右側面図
【図１３】本発明の布団等の圧縮梱包装置に用いることが可能な樹脂フィルム袋のあくまでも一例の斜視図
【図１４】図１３のＡ−Ａ断面図
【図１５】図１３の樹脂フィルム袋に布団等を圧縮梱包した状態の横断面図
【図１６】本発明の他の布団等の圧縮梱包装置の右側面図
【図１７】図１６の上ごてがガイドされて動くレール部分の斜視図
【符号の説明】
【００３０】１      上ごて
１ａ    突起
２      下ごて
２ａ    側板
２ｂ    車輪
２ｃ    レール
２ｅ    当たり板
３      軸
４      シリンダー装置
４ａ    シリンダー
４ｂ    軸
４ｃ    ピストン
４ｄ    軸
４ｅ    ヘッド
５      樹脂フィルム袋
５ａ    袋部
５ｂ    シール部
５１    一体シール部
５２    フィルム
５３    フィルム
６      車輪
６ａ    車輪支持体
７      シリンダー装置
７ａ    シリンダー
７ｃ    ピストン
７ｄ    ばね
８      軸位置調整板
８ａ    長孔
９      装置本体
９ａ    本体柱
１１    リンク部材
１２    車輪
１３    ピン
１５    レール
４０    シリンダー装置
４１    シリンダー
４２    ピストン
９１    本体固定具
９２    本体固定具
９９    布団等
ｅ      レール状雄突起
ｆ      レール状雌突起
Ｓ      スペース
【図１】
2019048664.tif 000003
【図２】
2019048664.tif 000004
【図３】
2019048664.tif 000005
【図４】
2019048664.tif 000006
【図５】
2019048664.tif 000007
【図６】
2019048664.tif 000008
【図７】
2019048664.tif 000009
【図８ａ】
2019048664.tif 000010
【図８ｂ】
2019048664.tif 000011
【図９】
2019048664.tif 000012
【図１０】
2019048664.tif 000013
【図１１】
2019048664.tif 000014
【図１２】
2019048664.tif 000015
【図１３】
2019048664.tif 000016
【図１４】
2019048664.tif 000017
【図１５】
2019048664.tif 000018
【図１６】
2019048664.tif 000019
【図１７】
2019048664.tif 000020